(57)【要約】      （修正有）【課題】連続紙両面プリンタの両面印刷ジョブ印刷時の生産性を向上。【解決手段】プリンタコントローラから奇数，偶数ページの画像データをそれぞれオモテ面，ウラ面画像処理に与え、処理した画像データに基づいて印刷エンジンで連続紙の表に奇数ページの画像を印刷しているときに、並行して、該連続紙の裏に、該奇数ページの次の偶数ページとは異なる偶数ページの画像を形成する連続紙両面プリンタにおいて、両面印刷において、プリンタコントローラからのページの送信順を変更し、オモテ面のみの印刷期間は、オモテ面画像処理だけではなくウラ面画像処理にもオモテ面データの画像処理を行わせウラ面画像処理が処理した画像データをオモテ面印刷に用いる。同様に、ウラ面のみの印刷期間は、ウラ面画像処理だけではなくオモテ面画像処理にもウラ面データの画像処理を行わせオモテ面画像処理が処理した画像データをウラ面印刷に用いる。【選択図】図３
2011189542.tif 000002
【特許請求の範囲】
【請求項１】
プリンタコントローラから奇数ページの画像データと偶数ページの画像データをそれぞれオモテ面画像処理装置とウラ面画像処理装置に与え、該オモテ面画像処理装置と該ウラ面画像処理装置とが処理した画像データに基づいて印刷エンジンで連続紙のオモテ面に或る奇数ページの画像を印刷しているときに、並行して、該連続紙のウラ面に、該或る奇数ページの次の偶数ページとは異なる偶数ページの画像を形成する、連続紙両面プリンタにおいて、
前記プリンタコントローラは、印刷開始直後の、第１ページのオモテ面画像の印刷から連続紙上の該第１ページのオモテ面画像のウラ面側への第２ページのウラ面画像の印刷前までのオモテ面のみの印刷期間は、前記オモテ面画像処理装置と該ウラ面画像処理装置とにオモテ面画像データをページ単位で交互に与え、前記オモテ面画像処理装置と前記ウラ面画像処理装置とが画像処理した画像データで連続紙のオモテ面にページ単位で交互にオモテ面画像を形成する、ことを特徴とする連続紙両面プリンタ。
【請求項２】
プリンタコントローラから奇数ページの画像データと偶数ページの画像データをそれぞれオモテ面画像処理装置とウラ面画像処理装置に与え、該オモテ面画像処理装置と該ウラ面画像処理装置とが処理した画像データに基づいて印刷エンジンで連続紙のオモテ面に或る奇数ページの画像を印刷しているときに、並行して、該連続紙の裏に、該或る奇数ページの次の偶数ページとは異なる偶数ページの画像を形成する、連続紙両面プリンタにおいて、
前記プリンタコントローラは、印刷終了直前の、最終オモテ面画像の印刷終了から最終ウラ面画像の印刷終了までのウラ面のみの印刷期間は、前記オモテ面画像処理装置と前記ウラ面画像処理装置とにウラ面画像データをページ単位で交互に与え、前記オモテ面画像処理装置と前記ウラ面画像処理装置とが画像処理した画像データで連続紙のウラ面にページ単位で交互にウラ面画像を形成する、ことを特徴とする連続紙両面プリンタ。
【請求項３】
印刷終了直前の、最終オモテ面画像の印刷終了から最終ウラ面画像の印刷終了までのウラ面のみの印刷期間は、前記オモテ面画像処理装置とウラ面画像処理装置にウラ面画像データをページ単位で交互に与えて前記オモテ面画像処理装置と前記ウラ面画像処理装置が画像処理した画像データで連続紙のウラ面にページ単位で交互にウラ面画像を形成する、請求項１に記載の連続紙両面プリンタ。
【請求項４】
前記ウラ面画像処理装置は、印刷開始直後の、第１ページのオモテ面画像の印刷から連続紙上の該第１ページのオモテ面画像のウラ面への第２ページのウラ面画像の印刷前までのオモテ面のみの印刷期間に、オモテ面画像データに１８０度回転の処理を加える、請求項１又は３に記載の連続紙両面プリンタ。
【請求項５】
前記オモテ面画像処理装置は、印刷終了直前の、最終オモテ面画像の印刷終了から最終ウラ面画像の印刷終了までのウラ面のみの印刷期間に、ウラ面画像データに１８０度回転の処理を加える、請求項２又は３に記載の連続紙両面プリンタ。
【請求項６】
前記プリンタコントローラから前記オモテ面画像処理装置と前記ウラ面画像処理装置とに画像データを転送する伝送路は、前記オモテ面画像処理装置と前記ウラ面画像処理装置に並行して画像データを転送する多重化伝送路である、請求項１乃至５のいずれか１つに記載の連続紙両面プリンタ。
【請求項７】
前記多重化伝送路はPCI Expressである請求項６に記載の連続紙両面プリンタ。
【請求項８】
前記連続紙両面プリンタは、印刷エンジンの作像可能幅に対して略１／２となる用紙幅サイズの用紙に対して、作像可能幅の片側略１／２幅においてオモテ面を印刷後、用紙搬送パスにて用紙の反転搬送を行い、作像可能幅のもう一方側略１／２幅を使用して、連続紙搬送方向の同一位置で並行してウラ面の作像を行う連続紙両面プリンタである、請求項１乃至７のいずれか１つに記載の連続紙両面プリンタ。
【請求項９】
前記連続紙両面プリンタは、１対の印刷エンジンを連続紙の搬送方向で異なる位置に配置し両印刷エンジンの間に連続紙の表裏を反転する機構を介挿した連続紙両面プリンタである、請求項１乃至７のいずれか１つに記載の連続紙両面プリンタ。
【発明の詳細な説明】
【技術分野】
【０００１】
本発明は、連続紙両面プリンタに関し、特に、連続紙の表にある頁の画像（表画像）を印刷しているときに、並行して、該連続紙の裏に、該ある頁と異なる頁の画像（ウラ画像）を印刷する連続紙両面プリンタにおける両面印刷に関する。
【背景技術】
【０００２】
ホスト装置（コンピュータ）からの印刷要求を、プリンタコントローラで一旦受けた後、プリンタコントローラとインターフェース（以下、Ｉ／Ｆともいう）で接続されたプリンタ（画像形成装置）にて印刷を行う画像形成システムは既に知られている。また高速印刷を可能とする連続紙を使用するプリンタは、急激な用紙搬送停止による用紙へのダメージを防止するため、用紙搬送速度をリニアに可変できるものも既に知られている。なおプリンタ内にはプリンタコントローラとの応答を行うためのＩ／Ｆ（インターフェース）およびＩ／Ｆコントローラ，印刷機構，プリンタコントローラから送られる画像データを印刷機構の作像特性に適合するように補正する画像処理装置、および、印刷機構を制御するプロセスコントローラがある。
【０００３】
１台の連続紙プリンタにおいて両面印刷を実現するため、印刷機構にある画像転写部の物理幅に対して１／２となる用紙幅サイズの用紙に対して、画像転写部の片側１／２幅においてオモテ面を印刷後、用紙搬送パスにて用紙の反転搬送を行い、再度画像転写部のもう一方側１／２幅を使用して印刷することで両面印刷を並行して実現する連続紙プリンタが存在する（以降ＳＥＤ方式連続紙プリンタと呼ぶ）。その一例が、特許文献１（図５）に記載されている。特許文献１にはまた、２台の印刷機構をタンデム（シリアル）に配置して、１台目で連続紙の表面に画像を形成しそして連続紙の表裏を反転して２台目で裏面に画像を形成し、この裏面の画像形成を、１台目の表面の画像形成と並行して行う連続紙プリンタも記載されている（図１０）。いずれのプリンタも、表面画像形成と該表面画像の裏に形成する裏面画像形成とは時間差がある。すなわち、連続紙の表に、或る頁の画像（表画像）を印刷しているときに、並行して、該連続紙の裏に、当該或る頁と異なる頁の裏面に形成すべき裏画像を形成する。したがって、一枚のカット用紙に相当する連続紙上の頁コマの一つのオモテ面の画像形成とそのウラ面への画像形成とは、時間差がある。
【０００４】
図４に、ＳＥＤ方式連続紙プリンタの概要を示す。連続紙１は、その幅の２倍以上の作像領域がある作像機構２のドラム３とローラ４の左半分領域を通行し、両面印刷の場合は、そのオモテ面に作像機構２によって画像が形成される。そして反転ローラ５を通行し戻しローラ６，７を経て表裏反転状態で作像機構２のドラム３とローラ４の右半分領域を通行し、オモテ面となった裏面に、作像機構２によって画像が形成される。
【０００５】
従来のＳＥＤ方式連続紙プリンタにおけるプリンタコントローラからの画像データ処理システムは、オモテ面画像処理装置，ウラ面画像処理用および画像処理コントローラの３つで構成されており、オモテ面／ウラ面画像処理用がそれぞれの印刷ページの画像処理を実施し、Ｉ／Ｆコントローラおよびプロセスコントローラがプリンタの状態通知や、オモテ面／ウラ面画像処理の同期制御を実行する構成になっている。
【０００６】
図５に、従来のＳＥＤ方式連続紙両面プリンタにおける両面印刷ジョブ処理時のプリンタコントローラからオモテ面，ウラ面画像処理装置へのデータ送信のタイミングを示す。なお印刷ジョブは４０ページ（オモテ面２０ページ，ウラ面２０ページ）の場合である。従来の両面印刷では、プリンタコントローラは印刷ジョブから作成した印刷イメージデータ（画像データ）を、オモテ面画像データはオモテ面画像処理装置へ送出し、ウラ面画像データはウラ面画像処理装置へ、また併せてオモテ面／ウラ面画像処理装置へ画像データもしくは白紙指示の送信完了のたび、ページデータ送信完了通知をＩ／Ｆコントローラに行っている。オモテ面／ウラ面共に画像処理装置は受信した画像データに、印刷エンジンの作像特性に適合する画像処理を行った後、プロセスコントローラへページデータ印刷可能状態通知を行うが、印刷開始直後のウラ面画像処理装置は、プリンタコントローラより白紙指示を受信しているために画像処理を行う必要がないことから、白紙指示受信次第、プロセスコントローラページデータ印刷可能状態通知を行う。一方、印刷終了直前のオモテ面画像処理装置は、プリンタコントローラより白紙指示を受信しているために画像処理を行う必要がないことから、白紙指示受信次第、プロセスコントローラへページデータ印刷可能状態通知を行う。
【０００７】
プロセスコントローラは、オモテ面イメージ画像処理装置とウラ面イメージ画像処理装置からのページデータ印刷可能状態通知が揃うのを待ってから印刷エンジンの印刷機構へ紙送り指示を実施すると共に、オモテ面画像処理装置とウラ面画像処理装置に対して印刷機構へ画像データ送信を指示する。
【０００８】
特許文献２には、連続紙プリンタにて両面印刷を効率よく行う目的で、制御装置内にページ単位のオモテ面／ウラ面用キュー（メモリ）をもち、ウラ面に画像を印刷しない場合はＮＰＯデータをキュー内に入れておくことで、オモテ面用ドラムとウラ面用ドラムに距離がある場合においても効率よく印刷できる連続紙両面印刷の制御方法が開示されている。
【発明の概要】
【発明が解決しようとする課題】
【０００９】
しかし、今までのＳＥＤ連続紙両面プリンタの両面印刷ジョブの印刷において、プリンタコントローラはオモテ面の画像データをオモテ面画像処理装置に送出し、画像データの画像処理を実施させ、ウラ面の画像データはウラ面画像処理装置に送出し画像データの画像処理をさせていた。一枚のカット用紙（１ページシート）に相当する連続紙上の頁コマの一つのオモテ面の画像形成とそのウラ面への画像形成とは、数枚のページ印刷相当の時間差がある。そのためオモテ面の印刷が始まり、ウラ面が印刷開始をするまでの期間、つまりオモテ面だけ印刷している間は、ウラ面画像処理装置は何も行わない状態となり、リソースの効率的な活用ができていないという問題があった。
【００１０】
同様に設定ページ数の印刷が終了する直前のオモテ面の印刷が終了し、ウラ面のみ印刷を行っている期間は、オモテ面画像処理装置は何も行わない状態となり、リソースの効率的な活用ができていないという問題があった。
【００１１】
本発明は、連続紙両面プリンタのリソースを効率よく運用し、両面印刷ジョブ印刷時の生産性を向上することを目的とする。
【課題を解決するための手段】
【００１２】
本発明の連続紙両面プリンタは次の通りである。
【００１３】
（１）プリンタコントローラ21から奇数ページの画像データと偶数ページの画像データをそれぞれオモテ面画像処理装置27とウラ面画像処理装置28に与え、該オモテ面画像処理装置27と該ウラ面画像処理装置28が処理した画像データに基づいて印刷エンジン29で連続紙の表に或る奇数ページの画像を印刷しているときに、並行して、該連続紙の裏に、該或る奇数ページの次の偶数ページとは異なる偶数ページの画像を形成する、連続紙両面プリンタにおいて、
前記プリンタコントローラ21は、印刷開始直後の、第１ページのオモテ面画像の印刷から連続紙上の該第１ページのオモテ面画像の裏面への第２ページのウラ面画像の印刷までのオモテ面のみの印刷期間は、前記オモテ面画像処理装置27と前記ウラ面画像処理装置28とにオモテ面画像データをページ単位で交互に与え、前記オモテ面画像処理装置27と前記ウラ面画像処理装置28とが画像処理した画像データで連続紙のオモテ面にページ単位で交互にオモテ面画像を形成する、ことを特徴とする連続紙両面プリンタ。
【００１４】
（２）プリンタコントローラ21から奇数ページの画像データと偶数ページの画像データをそれぞれオモテ面画像処理装置27とウラ面画像処理装置28に与え、該オモテ面画像処理装置(27)とウラ面画像処理装置28が処理した画像データに基づいて印刷エンジン(29)で連続紙の表にある奇数ページの画像を印刷しているときに、並行して、該連続紙の裏に、該ある奇数ページの次の偶数ページとは異なる偶数ページの画像を形成する、連続紙両面プリンタにおいて、
印刷終了直前の、最終オモテ面画像の印刷終了から最終ウラ画像の印刷終了までのウラ面のみの印刷期間は、前記オモテ面画像処理装置27とウラ面画像処理装置28にウラ面画像データをページ単位で交互に与えて前記オモテ面画像処理装置27とウラ面画像処理装置28が画像処理した画像データで連続紙の裏面にページ単位で交互にウラ画像を形成する、ことを特徴とする連続紙両面プリンタ。
【００１５】
（３）印刷終了直前の、最終オモテ面画像の印刷終了から最終ウラ画像の印刷終了までのウラ面のみの印刷期間は、前記オモテ面画像処理装置27とウラ面画像処理装置28にウラ面画像データをページ単位で交互に与えて前記オモテ面画像処理装置27とウラ面画像処理装置28が画像処理した画像データで連続紙の裏面にページ単位で交互にウラ画像を形成する、上記（１）に記載の連続紙両面プリンタ。
【００１６】
（４）前記ウラ面画像処理装置28は、印刷開始直後の、第１ページのオモテ画像の印刷から連続紙上の該第１ページのオモテ画像の裏面への第２ページのウラ画像の印刷までのオモテ面のみの印刷期間に、オモテ面画像データに１８０度回転の処理を加える、上記（１）又は（３）に記載の連続紙両面プリンタ。
【００１７】
（５）前記オモテ面画像処理装置27は、印刷終了直前の、最終オモテ面画像の印刷終了から最終ウラ画像の印刷終了までのウラ面のみの印刷期間に、ウラ面画像データに１８０度回転の処理を加える、上記（２）又は（３）に記載の連続紙両面プリンタ。
【００１８】
（６）前記プリンタコントローラ21から前記オモテ面画像処理装置27とウラ面画像処理装置28に画像データを転送する伝送路は、前記オモテ面画像処理装置27とウラ面画像処理装置28に並行して画像データを転送する多重化伝送路24である、上記（１）乃至（５）に記載の連続紙両面プリンタ。
【００１９】
（７）前記多重化伝送路24はPCI Expressである上記（６）に記載の連続紙両面プリンタ。
【００２０】
（８）前記連続紙両面プリンタは、印刷エンジン29の作像可能幅に対して略１／２となる用紙幅サイズの用紙に対して、作像可能幅の片側略１／２幅においてオモテ面を印刷後、用紙搬送パスにて用紙の反転搬送を行い、作像可能幅のもう一方側の略１／２幅を使用して印刷する、連続紙搬送方向の同一位置で並行してオモテ面とウラ面の作像を行う連続紙両面プリンタ（ＳＥＤ方式の連続紙両面プリンタ）である、上記（１）乃至（７）のいずれか１つに記載の連続紙両面プリンタ。
【００２１】
（９）前記連続紙両面プリンタは、１対の印刷エンジンを連続紙の搬送方向で異なる位置に配置し両印刷エンジンの間に連続紙の表裏を反転する機構を介挿した連続紙両面プリンタである、上記（１）乃至（７）のいずれか１つに記載の連続紙両面プリンタ。
【００２２】
なお、理解を容易にするために、図面に示し後述する実施例の対応要素の符号を、例示として参考までに付記した。
【発明の効果】
【００２３】
本発明は、印刷開始直後および又は印刷終了直前の片面のみ印刷している期間の画像処理に必要とする総時間を約半分に短縮することができ、両面印刷ジョブの生産性を向上することができる。
【図面の簡単な説明】
【００２４】
【図１】本発明の１実施例の、画像データ処理システムの概要を示すブロック図である。
【図２】図１に示すプリンタコントローラ２１の各ページ画像データの出力順を流れで示すブロック図である。
【図３】図１に示すオモテ面，ウラ面画像処理装置２７，２８に与えられる画像順を示すブロック図である。
【図４】従来のＳＥＤ方式連続紙両面プリンタの外観を示す斜視図であり、また、本発明の一実施例のＳＥＤ方式連続紙両面プリンタの外観も示すものである。従来と本発明の一実施例とは、その内部の画像処理システム（図１）が異なる。
【図５】従来のＳＥＤ方式連続紙両面プリンタのプリンタコントローラによる両面印刷時の各ページ画像データの出力順を、流れで示すブロック図である。
【発明を実施するための形態】
【００２５】
本発明は、両面印刷ジョブにおいて、プリンタコントローラからのページ画像データの送信順を変更し、オモテ面のみ印刷を行っている間は、オモテ面画像処理装置だけではなく、ウラ面画像処理装置にもオモテ面のページ画像データの画像処理を行わせウラ面画像処理装置が処理した画像データをオモテ面印刷に用い、一方、ウラ面のみ印刷を行っている間は、ウラ面画像処理装置だけではなく、オモテ面画像処理装置にもウラ面のページ画像データの画像処理を行わせオモテ面画像処理装置が処理した画像データをウラ面印刷に用いる。
【００２６】
要するに、従来は両面印刷ジョブ処理時にプリンタコントローラがオモテ面画像データはオモテ面画像処理装置にのみ送出し、ウラ面画像データはウラ面画像処理装置にのみ送出していたため、片面しか印刷していない期間は該当する画像処理装置のみが画像処理を行っていたが、本発明においては、プリンタコントローラがＩ／Ｆコントローラに対して両面印刷ジョブであることを通知すると共に、印刷開始直後のオモテ面ページだけ印刷している期間については、オモテ面ページのうち奇数ページの画像データはオモテ面画像処理装置へ送出するが、オモテ面ページのうち偶数ページの画像データをウラ面画像処理装置へ送出してウラ面画像処理装置が画像処理した画像データをオモテ面の印刷に用いる。このように、設定ページ数の印刷開始直後の期間にオモテ面，ウラ面画像処理を並行して行わせることで該期間におけるページ画像処理に必要な時間を約半分に短縮する。
【００２７】
同様に設定ページ数の印刷終了直前のウラ面ページだけ印刷している期間については、ウラ面ページのうち偶数ページの画像データはウラ面画像処理装置へ送出するが、奇数ページの画像データをオモテ面画像処理装置へ送出して、オモテ面，ウラ面の画像処理装置で画像処理を並行して行わせることで、この期間におけるページの画像処理に必要な総時間を約半分に短縮する。
【００２８】
以下、本発明の実施例について図面を用いて詳細に説明する。
【実施例】
【００２９】
図１に、本発明の一実施例のＳＥＤ方式連続紙両面プリンタの画像形成システムの概要を示す。なお本実施例のＳＥＤ方式連続紙両面プリンタの機構は、図４に示す従来例と同様である。上位ホスト（コンピュータ）から送信された印刷データは、プリンタコントローラ２１が、ページ毎の印刷イメージデータ（画像データ）に変換する。プリンタコントローラ２１は、変換された画像データのうち、基本的には、オモテ面に印刷する画像データはオモテ面画像処理装置２７に、ウラ面に印刷する画像データはウラ面画像処理装置２８に送出する。
【００３０】
プリンタコントローラ２１とオモテ面画像処理装置２７およびウラ面画像処理装置２８との間の画像データ伝送路は、多重化されたデータ転送経路２４であり、オモテ面画像処理装置２７への画像データはデータ転送経路２４の内の２２で、ウラ面画像処理装置２８への画像データは２３で、同時並行して転送できる。これにより高速なデータ転送が可能である。データ転送経路２４は、物理的に複数本のケーブルであってもよいし、論理的に分離された１本のケーブルであってもよい。本実施例では、データ転送経路２４は、ＰＣＩｅの光ケーブルである。
【００３１】
画像データを受け取ったオモテ面画像処理装置２７，ウラ面画像処理装置２８は、印刷エンジン２９の印刷機構の画像表現特性に適合する画像データに補正する。この補正の終了後、オモテ面画像処理装置２７，ウラ面画像処理装置２８は、プロセスコントローラ２６に処理完了を通知する。プロセスコントローラ２６は、オモテ面画像処理装置２７，ウラ面画像処理装置２８の処理完了を受けて、それぞれに印刷エンジン２９の印刷機構への画像データ送信指示を行うとともに、印刷機構に対して紙送り指示を実施する。
【００３２】
図２は、図１に示す画像処理システムにおける、両面印刷ジョブ処理時の、プリンタコントローラ２１からオモテ面，ウラ面画像処理装置２７，２８への画像データ転送形態を示す。
【００３３】
本発明の両面印刷では、プリンタコントローラ２１は印刷ジョブから作成した印刷イメージ（画像データ）を以下３つのケースでオモテ面，ウラ面画像処理装置２７，２８画像処理装置へ送信する。
＜ケース１：印刷開始直後のオモテ面のみの印刷期間＞
オモテ面の画像データのみ印刷を行うので、ウラ面の画像データは処理しない。奇数ページはオモテ面画像処理装置２７へ（図２のＣ１）、偶数ページはウラ面画像処理装置２８へ（図２のＣ２）送信する。なお、ウラ面画像処理装置２８で画像データを受信した場合（図２のＣ２）は、ウラ面画像処理装置２８は、オモテ面に印刷するため画像の１８０度回転処理も併せて実施する。
＜ケース２：オモテ面／ウラ面の両方の印刷期間＞
オモテ面ページはオモテ面画像処理装置へ（図２のＣ３）、ウラ面ページはウラ面画像処理装置２８へ（図２のＣ４）送信する。
＜ケース３：印刷終了直前のウラ面のみの印刷期間＞
オモテ面の画像データは処理が終了しているので、ウラ面の画像データのみ処理する。奇数ページはオモテ面画像処理装置２７へ（図２のＣ５）、偶数ページはウラ面画像処理装置２８へ（図２のＣ６）送信する。なお、オモテ面画像処理装置２７でウラ面画像データを受信した場合（図２のＣ５）は、オモテ面画像処理装置２７は、ウラ面に印刷するため画像の１８０度回転処理も併せて実施する。
【００３４】
ただし、オモテ面のドラムとウラ面のドラムの間のページ数、すなわち、一枚のカット用紙（１ページシート）に相当する連続紙上の頁コマの一つのオモテ面の画像形成とそのウラ面への画像形成との間の片面印刷期間の印刷ページ数が奇数の場合は、上記ケース１において最後の偶数ページが存在しないため、この場合は空白扱いとする（図３の（ｂ））。同様に、上記ケース３においては最初の奇数ページが存在しないため、この場合は空白扱いとする（図３の（ｂ））（例：オモテ面のページ６の裏側にウラ面のページ１がくる時など。）。
【００３５】
プロセスコントローラ２６は、オモテ面画像処理装置２７とウラ面画像処理装置２８からのページデータ印刷可能状態通知が揃うのを待ってから印刷エンジン２９の印刷機構へ紙送り指示を実施する。しかしながら、上記ケース１およびケース３において、オモテ面画像処理装置２７およびウラ面画像処理装置２８の両方で、片面画像（オモテ画像／ウラ面）を処理した時（ただし、画像データは白紙でない時）は、２シート（２コマ）分の紙送り指示が可能なため、オモテ面画像処理装置２７とウラ面画像処理装置２８がそれぞれ生成した画像処理済ページ画像データを交互に印刷するように印刷機構へ指示する。この画像データ送出制御により、上記ケース１およびケース３において２つの画像処理装置２７，２８が並行して画像処理を行うことが可能となり、画像処理に掛かる時間が約１／２に短縮される。
【００３６】
図３は、本実施例のＳＥＤ方式連続紙プリンタシステムにおける両面印刷ジョブ実行時のオモテ面画像処理装置２７とウラ面画像処理装置２８の、ページ画像処理順を示す。印刷ジョブは４０ページを両面印刷するものである。本実施例の、オモテ面印刷と対応ウラ面印刷との間の片面印刷期間は、６ページ分である（図３の（ａ））。ただし本発明の１つの実施形態では、該片面印刷期間は、７ページ分である（図３の（ｂ））。参考までに、従来例を図３の（ｃ）に示す。図３上の数字１〜２０のブロックは、連続紙上の表コマ番号に相当し、４０ページ画像の奇数ページ１，３，・・・３７，３９のページ画像データを表す。図３上の円囲いの数字のブロックは、連続紙上の裏コマ番号に相当し、４０ページ画像の偶数ページ２，４，・・・３８，４０のページ画像データを表す。本発明の実施（図３の（ａ）／（ｂ））により、両面印刷ジョブの画像データ処理効率が向上し、印刷の高速化が実現する。
【００３７】
なお、本発明を実施する場合、図４に示す態様に限らず、作像機構２は静電写真方式（レーザプリンタ）でもインクジェットプリンタでも、またその他の同様な広幅印刷ができるものであればよい。また、１台で広幅印刷するのに代えて、２台を並べたものであっても良い。また、ドラムおよびローラは軸長が長い広幅一組として、作像プロセス要素は２組を並べたものとしてもよい。また本発明は、ＳＥＤ方式の連続紙両面プリンタに限らず、１対の印刷エンジンを連続紙の搬送方向で異なる位置に配置し両印刷エンジンの間に連続紙の表裏を反転する機構を介挿した連続紙両面プリンタ、にも同様に実施できる。
【符号の説明】
【００３８】
１：連続紙
２：作像機構
３：ドラム
４：ローラ
５：反転ローラ
６，７：戻しローラ
１９：上位ホスト
２０：連続紙両面プリンタ
２１：プリンタコントローラ２２，２３：画像データ伝送路
２４：多重化したデータ転送経路
２５：Ｉ／Ｆコントローラ
２６：プロセスコントローラ
２７：オモテ面画像処理装置
２８：ウラ面画像処理装置
２９：印刷エンジン（印刷機構）
【先行技術文献】
【特許文献】
【００３９】
【特許文献１】特開平８−２０１７号公報
【特許文献２】特許第３８５２１４８号公報
【図１】
2011189542.tif 000003
【図２】
2011189542.tif 000004
【図３】
2011189542.tif 000005
【図４】
2011189542.tif 000006
【図５】
2011189542.tif 000007